(57)【要約】【課題】据付け時の配管接続作業やメンテナンス時の作業性を向上できるとともに、余計な構造変更やコストを掛ける必要のない空気調和機を提供することを目的とする。【解決手段】縦長のキャビネット２を備え、該キャビネット２内の上半部に室内熱交換器およびドレンパンが配置され、下半部に室内ファン５が配置されているとともに、室内熱交換器からの冷媒配管１７，１８およびドレンパンからのドレンホース１９が、キャビネット２の側面に添って下半部に延長され、キャビネット２の下半部前面の吸込みパネルの左右両側部に設けられている吸込みグリル３Ｂの近傍で外部からの配管と接続される空気調和機１であって、少なくとも冷媒配管１７，１８およびドレンホース１９が延長されている側の吸込みグリル３Ｂが、外側の端部を支点として内側端部が外側に回動可能に設置されている。【選択図】図４
2011137566.tif 000002
【特許請求の範囲】
【請求項１】
縦長のキャビネットを備え、該キャビネット内の上半部に室内熱交換器およびドレンパンが配置され、下半部に室内ファンが配置されているとともに、前記室内熱交換器からの冷媒配管および前記ドレンパンからのドレンホースが、前記キャビネットの側面に添って下半部に延長され、前記キャビネットの下半部前面の吸込みパネルの左右両側部に設けられている吸込みグリルの近傍で外部からの配管と接続される空気調和機であって、
少なくとも前記冷媒配管および前記ドレンホースが延長されている側の前記吸込みグリルが、外側の端部を支点として内側端部が外側に回動可能に設置されていることを特徴とする空気調和機。
【請求項２】
前記吸込みグリルには、上下に一対のガイド軸が設けられ、該ガイド軸は前記キャビネット側の上下に設けられ、前方端側が外側に位置されるように斜めに前後方向に延長されている一対のレール溝内にスライド可能に嵌合されていることを特徴とする請求項１に記載の空気調和機。
【請求項３】
前記ガイド軸は、横断面が十字形状の軸とされていることを特徴とする請求項２に記載の空気調和機。
【請求項４】
前記吸込みグリルは、据付け時やメンテナンス時以外、前記キャビネットの所定位置に固定手段を介して固定されていることを特徴とする請求項１ないし３のいずれかに記載の空気調和機。
【発明の詳細な説明】
【技術分野】
【０００１】
本発明は、キャビネットの下半部前面に設けられている吸込みパネルおよび吸込みグリルの内側で、冷媒配管およびドレンホースが外部側からの配管と接続される空気調和機に関するものである。
【背景技術】
【０００２】
床置き型の空気調和機として、縦方向に長い長方形状のキャビネットを備え、このキャビネット内の下半部に室内空気を吸込むシロッコファン等の室内ファンが配置されるとともに、上半部に室内空気を冷却または加熱する室内熱交換器およびドレンパンが配置されており、更に該キャビネットの下半部前面に、左右両側部に吸込みグリルが設けられている吸込みパネルが設置されるとともに、上半部前面に、左右両側部に吹出しグリルが設けられている吹出しパネルが設置された構成の空気調和機が知られている（例えば、特許文献１，２参照）。
【０００３】
かかる構成の空気調和機において、室内熱交換器およびドレンパンに接続されている冷媒配管およびドレンホースは、室内熱交換器およびドレンパンからキャビネットの下半部に延長されており、空気調和機の据付け時に、キャビネット下部の左右側面のいずれかに設けられている配管穴から取り入れられる室外機からの冷媒配管およびドレンを屋外に排出するドレン配管等の外部配管と、キャビネット内でフレア継ぎ手等介して接続されるようになっている。
【先行技術文献】
【特許文献】
【０００４】
【特許文献１】特開２００６−６４２１６号公報（図１−図７参照）
【特許文献２】特開２００８−１８５２７８号公報（図１−図７参照）
【発明の概要】
【発明が解決しようとする課題】
【０００５】
上記の空気調和機では、キャビネット内の下半部に、正面側に空気吸込み口を有するシロッコファン等の室内ファンが配置されているため、冷媒配管やドレンホースは、室内ファンの空気吸込み口に掛らないようにするのが望ましく、ファンケースの外側においてキャビネットの側面に添わせて配設している。このため、空気調和機の据付け時に冷媒配管やドレンホースを接続する際、前面の吸込みパネルを取り外しても両側部の吸込みグリルが邪魔になることがあり、この場合、吸込みグリルも取り外さなければならず、手間がかかるという問題があった。
【０００６】
一方、特許文献２には、キャビネットの下半部に設けられている吸込みパネルの一端をキャビネット本体にヒンジ結合し、他端側を吸込みグリルと共に片開き可能な構成とすることにより、据付け時やメンテナンス時の作業性を向上したものが開示されているが、この場合、吸込みグリルに設けられているフラップの駆動用モータに対し、吸込みパネルの幅一杯の寸法を有する配線を引き回さなければならず、構成が複雑化するとともに、余計なコストが掛るという課題があった。
【０００７】
本発明は、このような事情に鑑みてなされたものであって、据付け時の配管接続作業やメンテナンス時の作業性を向上できるとともに、余計な構造変更やコストを掛ける必要のない空気調和機を提供することを目的とする。
【課題を解決するための手段】
【０００８】
上記した課題を解決するために、本発明の空気調和機は、以下の手段を採用する。
すなわち、本発明にかかる空気調和機は、縦長のキャビネットを備え、該キャビネット内の上半部に室内熱交換器およびドレンパンが配置され、下半部に室内ファンが配置されているとともに、前記室内熱交換器からの冷媒配管および前記ドレンパンからのドレンホースが、前記キャビネットの側面に添って下半部に延長され、前記キャビネットの下半部前面の吸込みパネルの左右両側部に設けられている吸込みグリルの近傍で外部からの配管と接続される空気調和機であって、少なくとも前記冷媒配管および前記ドレンホースが延長されている側の前記吸込みグリルが、外側の端部を支点として内側端部が外側に回動可能に設置されていることを特徴とする。
【０００９】
本発明によれば、キャビネットの下半部前面の吸込みパネルの左右両側部に設けられている吸込みグリルのうち、少なくとも冷媒配管およびドレンホースが延長されている側の吸込みグリルが、外側の端部を支点として内側端部が外側に回動可能に設置されているため、空気調和機の据付け時、冷媒配管およびドレンホースを外部からの配管と接続するときに、吸込みグリルを外側に回動することにより、該吸込みグリルをキャビネットから取り外すことなく、作業スペースを十分確保して配管の接続作業を行うことができる。従って、吸込みグリル等を取り外す手間を省くことができ、据付け性の向上あるいはメンテナンス時の作業性の向上を図ることができる。また、吸込みグリルは外側端部を支点として内側端部を外側に回動するだけよく、フラップやその駆動用モータ等が設けられていたとしても、その構造を特段変更する必要がなく、余計なコストが発生することもない。
【００１０】
さらに、本発明の空気調和機は、上記の空気調和機において、前記吸込みグリルには、上下に一対のガイド軸が設けられ、該ガイド軸は前記キャビネット側の上下に設けられ、前方端側が外側に位置されるように斜めに前後方向に延長されている一対のレール溝内にスライド可能に嵌合されていることを特徴とする。
【００１１】
本発明によれば、吸込みグリルに上下に一対のガイド軸が設けられ、該ガイド軸がキャビネット側の上下に設けられ、前方端側が外側に位置されるように斜めに前後方向に延長されている一対のレール溝内にスライド可能に嵌合されているため、据付け時、吸込みグリルを外側に回動する際、レール溝に沿って斜め外向きに前方に引き出しながら回動することにより、吸込みグリルをレール溝が斜めになっている分だけ大きく外側に開くことができる。従って、作業スペースをその分だけ広くすることができ、配管の接続作業やメンテナンス作業をよりし易くすることができる。
【００１２】
さらに、本発明の空気調和機は、上記の空気調和機において、前記ガイド軸は、横断面が十字形状断面の軸とされていることを特徴とする。
【００１３】
本発明によれば、ガイド軸の横断面が十字形状とされているため、吸込みグリルをレール溝に沿って引き出すとき、吸込みグリルを回動することにより、レール溝とガイド軸との間に隙間を確保してスムーズに引き出すことができる。また、吸込みグリルをガイド軸がレール溝にキッチリと嵌合する位置に回して固定することにより、ガタがないようしっかり固定することができる。従って、吸込みグリルの操作性、設置性を共に向上することができる。また、ガイド軸が十字形状の断面とされ、肉厚が薄くされているため、ガイド軸を吸込みグリルと一体に成形しても軸部にヒケが発生することがなく、成形性を向上することができる。
【００１４】
さらに、本発明の空気調和機は、上述のいずれかの空気調和機において、前記吸込みグリルは、据付け時やメンテナンス時以外、前記キャビネットの所定位置に固定手段を介して固定されていることを特徴とする。
【００１５】
本発明によれば、吸込みグリルが、据付け時やメンテナンス時以外、キャビネットの所定位置に固定手段を介して固定されているため、通常は吸込みグリルを最小限の固定手段を介してキャビネットの所定位置に固定しておくことにより、吸込みグリルとして機能させることができ、据付け時やメンテナンス時には、固定手段を取り外すことにより簡単に吸込みグリルを外側に回動し、所要の作業エリアを確保することができる。従って、吸込みグリルを取り外す手間を省くことができ、据付け時やメンテナンス時の作業を簡素化することができる。
【発明の効果】
【００１６】
本発明によると、空気調和機の据付け時、冷媒配管およびドレンホースを外部からの配管と接続するときに、吸込みグリルを外側に回動することにより、該吸込みグリルをキャビネットから取り外すことなく、作業スペースを十分確保して配管の接続作業を行うことができるため、吸込みグリル等を取り外す手間を省くことができ、据付け性の向上あるいはメンテナンス時の作業性の向上を図ることができる。また、吸込みグリルは外側端部を支点として内側端部を外側に回動するだけよく、フラップやその駆動用モータ等が設けられていたとしても、その構造を特段変更する必要がなく、余計なコストが発生することもない。
【図面の簡単な説明】
【００１７】
【図１】本発明の一実施形態に係る空気調和機の斜視図である。
【図２】図１に示す空気調和機の下半部前面に設けられている吸込みパネルを取り外した状態の斜視図である。
【図３】図１に示す空気調和機の下半部の横断面図である。
【図４】図３に示す下半部において吸込みグリルを外側に回動した状態の横断面図である。
【発明を実施するための形態】
【００１８】
以下に、本発明の一実施形態について、図１ないし図４を参照して説明する。
図１には、本発明の一実施形態に係る空気調和機の斜視図が示され、図２には、吸込みパネルを外した状態の斜視図が示され、図３には、下半部の横断面図が示されている。
縦長の床置き型空気調和機１は、縦方向に長くされた長方形状のキャビネット２を備えている。この縦長のキャビネット２の前面側の下半部には、左右両側部がそれぞれ所定角のテーパ面とされている吸込みパネル３が設けられ、上半部には、左右両側部がそれぞれ所定角のテーパ面とされている吹出しパネル４が設けられている。
【００１９】
キャビネット２内の下半部には、吸込みパネル３の背面側に空気中の塵埃を除去するエアフィルタ（図示省略）が、吸込みパネル３に対して着脱自在に設置されており、更にそのエアフィルタと対向するように、吸込みパネル３側に面して空気吸込み口６が設けられているファンケーシング７と、ファンモータ８と、羽根車９（図３参照）とからなるシロッコファン等の室内ファン５が、吹出し口を上方に向けて配設されている。また、キャビネット２内の上半部には、縦長のフィンアンドチューブ型の室内熱交換器（図示省略）が上部を奥側に、下部を手前側に位置させて斜めに配置され、その下方部位には、ドレンパン（図示省略）が配設されている。
【００２０】
吸込みパネル３の左右両側部のテーパ面には、左右一対の吸込みグリル３Ａ，３Ｂが設けられている。吸込みグリル３Ａ，３Ｂは、上下方向に開口された長方形状の左右一対の空気吸込み口１０Ａ，１０Ｂと、この空気吸込み口１０Ａ，１０Ｂ内に、それぞれ垂直軸（図示省略）を介して一端縁側を支点に他端縁側が後方に開閉可能に設置されている垂直フラップ１１Ａ，１１Ｂとから構成されている。垂直フラップ１１Ａ，１１Ｂは、ステッピングモータ１２Ａ，１２Ｂ等の駆動手段を介して独立して回動自在とされている。
【００２１】
また、吹出しパネル４の左右両側部のテーパ面には、左右一対の吹出しグリル４Ａ，４Ｂが設けられている。吹出しグリル４Ａ，４Ｂは、それぞれ上下方向に開口されている上下一対の長方形状の空気吹出し口１３Ａ，１３Ｂおよび１３Ｃ，１３Ｄと、この空気吹出し口１３Ａ，１３Ｂおよび１３Ｃ，１３Ｄ内に、それぞれ垂直軸（図示省略）を介して一端縁側を支点に他端縁側が前方に開閉可能に設置されている垂直フラップ１４Ａ，１４Ｂおよび１４Ｃ，１４Ｄとから構成されている。これらの垂直フラップ１４Ａないし１４Ｄは、それぞれ図示省略のステッピングモータ等の駆動手段を介して独立して回動自在とされている。
【００２２】
なお、空気吹出し口１３Ａ，１３Ｂおよび１３Ｃ，１３Ｄに設けられている垂直フラップ１４Ａ，１４Ｂおよび１４Ｃ，１４Ｄの内部側には、それぞれ温調風の吹出し方向を上下方向に調整可能な複数枚の水平ルーバ（図示省略）が手動または駆動手段を介して回動自在に設置されている。
【００２３】
また、吹出しパネル４の下方部位には、水平方向に開口された水平吹出し口１５が設けられており、この水平吹出し口１５内にも、その開口を開閉可能な水平フラップ１６が独立したステッピングモータ等の駆動手段を介して回動またはスライド自在に設置されている。水平吹出し口１５には、温調風の吹出し方向を左右方向に調整可能な複数枚の垂直ルーバ（図示省略）が手動または駆動手段を介して回動自在に設置されている。なお、図１において、垂直フラップ１１Ａ，１１Ｂと、垂直フラップ１４Ａないし１４Ｄおよび水平フラップ１６は、何れも閉成状態（停止状態）とされている。
【００２４】
キャビネット２内の下半部には、上半部に設置されている室内熱交換器に接続されている２本の冷媒配管、すなわちガス側配管１７および液側配管１８と、ドレンパンに接続されているドレンホース１９とが、室内ファン５のファンケース７の外側において、キャビネット２の側面に添って下方に延長されている。このガス側配管１７および液側配管１８並びにドレンホース１９には、空気調和機１の据付け時に、キャビネット２の側面に設けられている配管穴２０から、室外機に連なっている外部冷媒配管およびドレン水を屋外に排出するドレン配管が取り入れられ、フレア継ぎ手等を介して接続されるように構成されている。
【００２５】
上記の配管作業時あるいはそれらのメンテナンス時、図２に示されるように、吸込みパネル３を取り外しただけでは、側部の吸込みグリル３Ｂが邪魔になり、配管の接続作業等がし難い場合がある。そこで、左右一対の吸込みグリル３Ａ，３Ｂのうち、少なくとも配管接続位置に近い側の吸込みグリル３Ｂを外側に回動可能とすることにより、作業スペースを確保できるようにしている。
【００２６】
吸込みグリル３Ｂは、図３、図４に示されるように、吸込みグリル３Ｂの上下部に設けられている上下方向に突出する一対のガイド軸２１を介してキャビネット２側に回動可能に支持されている。このガイド軸２１は、横断面が十字形状とされた軸であり、樹脂製の吸込みグリル３Ｂと一体に成形されている。ガイド軸２１は、キャビネット２側に設けられている上下一対のレール溝２２内に嵌合されている。このレール溝２２は、前後方向に長くされた長穴形状の溝であって、その前方端側が外側に位置するように斜めに前後方向に延長されている。
【００２７】
このように、吸込みグリル３Ｂに設けられているガイド軸２１は、レール溝２２内に回動可能でかつレール溝２２に沿ってスライド可能に嵌合されている。これによって、吸込みグリル３Ｂは、図４に示されるように、レール溝２２の長さに相当する分だけ、斜め前方側に引き出され、更に外側に回動可能な構成とされている。また、吸込みグリル３Ｂには、上下の２箇所に所定位置で吸込みグリル３Ｂをキャビネット２側に固定するためのビス穴２３が設けられており、固定手段であるビス２４を介してキャビネット２にビス止め固定できるように構成されている。
【００２８】
以上に説明の構成により、本実施形態によれば、以下の作用効果を奏する。
空気調和機１を据付ける場合、室内熱交換器からのガス側配管１７および液側配管１８に対して室外機からの冷媒配管を接続するとともに、ドレンパンからのドレンホース１９に対してドレン水を屋外に導くドレン配管を接続する必要がある。この配管接続は、キャビネット２の下部に設けられている配管穴２０から外部側の配管を取り入れ、キャビネット２の下半部内の側面に接近した位置で行われる。このため、配管接続に際して、図２に示されているように、吸込みパネル３が取り外されるが、これだけでは十分な作業スペースを確保することができない。
【００２９】
しかるに、本実施形態においては、ガス側配管１７および液側配管１８とドレンホース１９とが延長されている側の吸込みグリル３Ｂが前方側にスライド可能にかつ外側に回動可能に設けられているため、この吸込みグリル３Ｂを、図４に示されるように、前方側に引き出し、更に外側に回動することができる。つまり、所定位置にビス２４を介して固定されていた吸込みグリル３Ｂを、ビス２４を取り外し、ガイド軸２１をレール溝２２に沿わせて前方側にスライドさせながら回動することにより、図４に示される３Ｂ’位置に移動させることができる。
【００３０】
これにより、吸込みグリル３Ｂをキャビネット２から取り外すことなく、作業スペースを十分に確保して配管の接続作業を行うことができるようになる。従って、吸込みグリル３Ｂ等を取り外す手間を省くことができ、据付け性の向上あるいはメンテナンス時の作業性の向上を図ることができる。また、吸込みグリル３Ｂは外側端部を支点として内側端部を外側に所定寸法だけ前方に引き出しながら回動するだけよく、フラップや駆動用モータ等が設けられていても、その構造を特段変更する必要がなく、余計なコストが発生することもない。
【００３１】
特に、吸込みグリル３Ｂには、上下一対のガイド軸２１が設けられ、そのガイド軸２１が、前方端側が外側に位置されるように斜めに前後方向に延長されているレール溝２２内にスライド可能に嵌合されているため、吸込みグリル３Ｂを外側に回動する際、レール溝２２に沿って斜め外向きに前方に引き出しながら回動することにより、吸込みグリル３Ｂを斜めになっている分だけ大きく外側に開くことができる。従って、作業エリアをその分だけ広くすることができ、配管の接続作業やメンテナンス作業をよりし易くすることができる。
【００３２】
また、ガイド軸２１は、横断面が十字形状の軸とされているため、吸込みグリル３Ｂをレール溝２２に沿って前方に引き出す際、吸込みグリル３Ｂを回動することにより、レール溝２２とガイド軸２１との間に隙間を確保して滑らかに引き出すことができ、また吸込みグリル３Ｂを所定位置に固定するとき、ガイド軸２１をレール溝２２にキッチリと嵌合する位置に回して固定することにより、ガタがないようにしっかりと固定することができる。従って、吸込みグリル３Ｂの操作性、設置性を共に向上することができる。また、ガイド軸２１の横断面が十字形状とされ、肉厚が薄くされているため、ガイド軸２１を吸込みグリル３Ｂと一体に成形しても軸部にヒケが発生することがなく、成形性を向上することができる。
【００３３】
さらに、吸込みグリル３Ｂを据付け時やメンテナンス時以外、キャビネット２の所定位置にビス２４等の固定手段を介して固定するようにしているため、通常は吸込みグリル３Ｂを最小限の固定手段でキャビネット２の所定位置に固定し、吸込みグリル３Ｂとして機能させることができ、据付け時やメンテナンス時には、ビス２４等の固定手段を取り外すことによって簡単に吸込みグリル３Ｂを外側に回動し、所要の作業エリアを確保することができる。従って、吸込みグリル３Ｂを取り外す手間を省くことができ、据付け時やメンテナンス時の作業を簡素化することができる。
【００３４】
なお、本発明は、上記実施形態にかかる発明に限定されるものではなく、その要旨を逸脱しない範囲において、適宜変形が可能である。例えば、上記実施形態では、吸込みパネル３および吹出しパネル４の左右両側部にそれぞれテーパ面を形成し、該テーパ面に吸込みグリル３Ａ，３Ｂおよび吹出しグリル４Ａ，４Ｂを設けているが、必ずしもテーパ面とする必要はない。さらに、回動可能とした吸込みグリル３Ｂを、キャビネット２側にビス２４を介して固定するようにしているが、この固定手段は、ビスである必要はなく、例えばワンタッチ方式のスライド爪とする等、最小限の操作で固定または取り外しできる手段とすることが望ましい。
【符号の説明】
【００３５】
１  空気調和機
２  キャビネット
３  吸込みパネル
３Ａ，３Ｂ  吸込みグリル
５  室内ファン
１７  ガス側配管（冷媒配管）
１８  液側配管（冷媒配管）
１９  ドレンホース
２１  ガイド軸
２２  レール溝
２３  ビス穴
２４  ビス（固定手段）
【図１】
2011137566.tif 000003
【図２】
2011137566.tif 000004
【図３】
2011137566.tif 000005
【図４】
2011137566.tif 000006